(57)【特許請求の範囲】
【請求項１】
あるタイムスロットにおけるトーンの第１のセットについての受信シンボルを得ること、検出シグナリングを得るためにトーンの前記第１のセットについての前記受信シンボルを処理すること、および前記検出シグナリングに基づいて、データ伝送のための前記タイムスロットにおけるトーンの第２のセットを処理するべきかどうかを決定すること、を行う少なくとも１つのプロセッサ、および
前記少なくとも１つのプロセッサに結合されたメモリ
を備え、
前記少なくとも１つのプロセッサは、
前記受信シンボルに基づいて複数の符号語の各々についてメトリックを計算するステップ、
各符号語について計算された前記メトリックに基づいて、前記複数の符号語のうちのいずれか１つが送られたかどうかを決定するステップ、および
送られたと決定された符号語に基づいて前記検出シグナリングを得るステップであって、前記検出シグナリングは、もし前記複数の符号語のうちのいずれも送られたとは決定されなかったら、いかなるデータ伝送も送られないことを示す、ステップ
を実行する、
装置。
【請求項２】
前記少なくとも１つのプロセッサは、アクセス端末の識別子に基づいて、トーンの複数のセットの中からトーンの前記第１のセットを決定する、請求項１の装置。
【請求項３】
前記少なくとも１つのプロセッサは、アクセス端末の識別子に基づいて、前記データ伝送のための割り当て可能な複数のトーンの中からトーンの前記第１のセットを決定する、
請求項１の装置。
【請求項４】
あるタイムスロットにおけるトーンの第１のセットについての受信シンボルを得ること、検出シグナリングを得るためにトーンの前記第１のセットについての前記受信シンボルを処理すること、および前記検出シグナリングに基づいて、データ伝送のための前記タイムスロットにおけるトーンの第２のセットを処理するべきかどうかを決定すること、を行う少なくとも１つのプロセッサ、および
前記少なくとも１つのプロセッサに結合されたメモリ
を備え、
ここにおいて、前記受信シンボルを処理することは、前記受信シンボルに基づいて複数の符号語の各々についてメトリックを計算すること、各符号語について計算された前記メトリックに基づいて、前記複数の符号語のうちのいずれか１つが送られたかどうかを決定すること、および送られたと決定された符号語に基づいて前記検出シグナリングを得ることを含み、
前記少なくとも１つのプロセッサは、前記検出シグナリングに基づいて、トーンの前記第２のセットが送られるかどうかを決定し、およびもしトーンの前記第２のセットが送られたと決定されたら、トーンの前記第２のセットについての受信シンボルを処理する、
装置。
【請求項５】
もしトーンの前記第２のセットが送られたと決定されたら、前記少なくとも１つのプロセッサは、前記検出シグナリングに基づいてトーンの前記第２のセットを決定する、請求項４の装置。
【請求項６】
もしトーンの前記第２のセットが送られたと決定されたら、前記少なくとも１つのプロセッサは、前記検出シグナリングに基づいてトーンの前記第２のセットのためのデータレートを決定し、および前記決定されたデータレートに基づいてトーンの前記第２のセットについての前記受信シンボルを処理する、請求項４の装置。
【請求項７】
あるタイムスロットにおけるトーンの第１のセットについての受信シンボルを得ること、
検出シグナリングを得るためにトーンの前記第１のセットについての前記受信シンボルを処理すること、および
前記検出シグナリングに基づいて、データ伝送のための前記タイムスロットにおけるトーンの第２のセットを処理するべきかどうかを決定すること
を備え、
前記検出シグナリングを得るために、トーンの前記第１のセットについての前記受信シンボルを前記処理することは、
前記受信シンボルに基づいて複数の符号語の各々についてメトリックを計算するステップ、
各々の符号語について計算された前記メトリックに基づいて、前記複数の符号語のうちのいずれか１つが送られたかどうかを決定するステップ、および
送られたと決定された符号語に基づいて前記検出シグナリングを得るステップであって、前記検出シグナリングは、もし前記複数の符号語のうちのいずれも送られたとは決定されなかったら、いかなるデータ伝送も送られないことを示す、ステップ
を備える、
方法。
【請求項８】
アクセス端末の識別子に基づいて、トーンの複数のセットの中から、または前記データ伝送のための割り当て可能な複数のトーンの中から、トーンの前記第１のセットを決定することをさらに備える、請求項７の方法。
【請求項９】
あるタイムスロットにおけるトーンの第１のセットについての受信シンボルを得ること、
検出シグナリングを得るためにトーンの前記第１のセットについての前記受信シンボルを処理すること、ここにおいて、前記受信シンボルを処理することは、前記受信シンボルに基づいて複数の符号語の各々についてメトリックを計算すること、各符号語について計算された前記メトリックに基づいて、前記複数の符号語のうちのいずれか１つが送られたかどうかを決定すること、および送られたと決定された符号語に基づいて前記検出シグナリングを得ることを含み、
前記検出シグナリングに基づいて、データ伝送のための前記タイムスロットにおけるトーンの第２のセットを処理するべきかどうかを決定すること、
もしトーンの前記第２のセットが送られたと決定されたら、前記検出シグナリングに基づいて、トーンの前記第２のセットのためのデータレートを決定すること、および
前記決定されたデータレートに基づいてトーンの前記第２のセットについての前記受信シンボルを処理すること
を備える、方法。
【請求項１０】
トーンの前記第１のセットは、アクセス端末の識別子に基づいて前記データ伝送に割り当て可能な複数のトーンの中から決定される、請求項７の方法。
【請求項１１】
あるタイムスロットにおけるトーンの第１のセットについての受信シンボルを得るための手段、
検出シグナリングを得るためにトーンの前記第１のセットについての前記受信シンボルを処理するための手段、および
前記検出シグナリングに基づいて、データ伝送のための前記タイムスロットにおけるトーンの第２のセットを処理するべきかどうかを決定するための手段、
を備え、
前記検出シグナリングを得るために、トーンの前記第１のセットについての前記受信シンボルを処理するための前記手段は、
前記受信シンボルに基づいて複数の符号語の各々についてのメトリックを計算するための手段と、
各符号語について計算された前記メトリックに基づいて、前記複数の符号語のうちのいずれか１つが送られたどうかを決定するための手段と、
送られたと決定された符号語に基づいて前記検出シグナリングを得るための手段と、前記検出シグナリングは、もし前記複数の符号語のうちのいずれも送られたとは決定されなかったら、いかなるデータ伝送も送られないことを示す、
を備える、装置。
【請求項１２】
アクセス端末の識別子に基づいて、トーンの複数のセットの中から、または前記データ伝送のための割り当て可能な複数のトーンの中から、トーンの前記第１のセットを決定するための手段をさらに備える、請求項１１の装置。
【請求項１３】
あるタイムスロットにおけるトーンの第１のセットについての受信シンボルを得るための手段、
検出シグナリングを得るためにトーンの前記第１のセットについての前記受信シンボルを処理するための手段、ここにおいて、前記受信シンボルを処理するための手段は、前記受信シンボルに基づいて複数の符号語の各々についてメトリックを計算し、各符号語について計算された前記メトリックに基づいて、前記複数の符号語のうちのいずれか１つが送られたかどうかを決定し、および送られたと決定された符号語に基づいて前記検出シグナリングを得るための手段を含み、
前記検出シグナリングに基づいて、データ伝送のための前記タイムスロットにおけるトーンの第２のセットを処理するべきかどうかを決定するための手段、
もしトーンの前記第２のセットが送られたと決定されたら、前記検出シグナリングに基づいてトーンの前記第２のセットのためのデータレートを決定するための手段、および
前記決定されたデータレートに基づいてトーンの前記第２のセットについての前記受信シンボルを処理するための手段
を備える、装置。
【請求項１４】
コンピュータに、あるタイムスロットにおけるトーンの第１のセットについての受信シンボルを得させるためのコード、
前記コンピュータに、検出シグナリングを得るためにトーンの前記第１のセットについての前記受信シンボルを処理させるためのコード、および
前記コンピュータに、前記検出シグナリングに基づいて、データ伝送のための前記タイムスロットにおけるトーンの第２のセットを処理するべきかどうかを決定させるためのコード
を記憶し、
前記コンピュータに、前記検出シグナリングを得るために、トーンの前記第１のセットについての前記受信シンボルを前記処理させるためのコードは、
前記コンピュータに、前記受信シンボルに基づいて複数の符号語の各々についてメトリックを計算させ、各々の符号語について計算された前記メトリックに基づいて、前記複数の符号語のうちのいずれか１つが送られたかどうかを決定させ、および送られたと決定された符号語に基づいて前記検出シグナリングを得させるためのコードであって、前記検出シグナリングは、もし前記複数の符号語のうちのいずれも送られたとは決定されなかったら、いかなるデータ伝送も送られないことを示す、コード
を具備する、コンピュータ可読記憶媒体。
【請求項１５】
前記コンピュータに、アクセス端末の識別子に基づいて、トーンの複数のセットの中から、または前記データ伝送のための割り当て可能な複数のトーンの中から、トーンの前記第１のセットを決定させるためのコードをさらに記憶する、請求項１４のコンピュータ可読記憶媒体。
【請求項１６】
コンピュータに、あるタイムスロットにおけるトーンの第１のセットについての受信シンボルを得させるためのコード、
前記コンピュータに、検出シグナリングを得るためにトーンの前記第１のセットについての前記受信シンボルを処理させるためのコード、ここにおいて、前記コンピュータに、前記受信シンボルを処理させるためのコードは、前記コンピュータに、前記受信シンボルに基づいて複数の符号語の各々についてメトリックを計算させ、各符号語について計算された前記メトリックに基づいて、前記複数の符号語のうちのいずれか１つが送られたかどうかを決定させ、および送られたと決定された符号語に基づいて前記検出シグナリングを得させるためのコードを含む、
前記コンピュータに、前記検出シグナリングに基づいて、データ伝送のための前記タイムスロットにおけるトーンの第２のセットを処理するべきかどうかを決定させるためのコード、
前記コンピュータに、もしトーンの前記第２のセットが送られたと決定されたら、前記検出シグナリングに基づいて、トーンの前記第２のセットのためのデータレートを決定させるためのコード、および
前記コンピュータに、前記決定されたデータレートに基づいてトーンの前記第２のセットについての前記受信シンボルを処理させるためのコード、
を記憶する、コンピュータ可読記憶媒体。
【請求項１７】
もしトーンの前記第２のセットが送られたと決定されたら、前記検出シグナリングに基づいてトーンの前記第２のセットを決定することをさらに備える、請求項９の方法。
【請求項１８】
もしトーンの前記第２のセットが送られたと決定されたら、前記検出シグナリングに基づいてトーンの前記第２のセットのためのデータレートを決定し、および前記決定されたデータレートに基づいてトーンの前記第２のセットについての前記受信シンボルを処理すること、をさらに備える、請求項９の方法。
【請求項１９】
もしトーンの前記第２のセットが送られたと決定されたら、前記検出シグナリングに基づいてトーンの前記第２のセットを決定すること、または前記検出シグナリングに基づいてトーンの前記第２のセットのためのデータレートを決定し、および前記決定されたデータレートに基づいてトーンの前記第２のセットについての前記受信シンボルを処理することのうちの少なくとも１つのための手段をさらに備える、請求項１３の装置。
【請求項２０】
前記コンピュータに、前記検出シグナリングに基づいてトーンの前記第２のセットを決定させるためのコード、または前記コンピュータに、前記検出シグナリングに基づいてトーンの前記第２のセットのためのデータレートを決定させ、および前記決定されたデータレートに基づいてトーンの前記第２のセットについての前記受信シンボルを処理させるためのコードのうちの少なくとも１つをさらに記憶する、請求項１６のコンピュータ可読記憶媒体。
【発明の詳細な説明】
【関連する出願】
【０００１】
本件特許出願は、本願の譲渡人に譲渡され、参照によって本件明細書に明白に組み込まれる、2006年7月28日づけの「Method and Apparatus for Preamble Configuration in Wireless Communication Systems」という名称の米国仮出願第60/834,118号に基づいて優先権を主張するものである。
【技術分野】
【０００２】
本件開示は、一般に通信に関係し、より詳細にはワイヤレス通信システムにおけるシグナリングを送信するための技術に関係する。
【背景技術】
【０００３】
ワイヤレス通信システムは、音声、ビデオ、パケットデータ、メッセージ、放送等のような様々な通信サービスを提供するために広く展開されている。これらのシステムは、利用可能なシステム資源を共有することによって複数のユーザをサポートすることができる多元接続システムであってもよい。そのような多元接続のシステムの例は、符号分割多元接続(CDMA)システム、時分割多元接続(TDMA)システム、周波数分割多元接続(FDMA)システム、直交FDMA(OFDMA)システムおよびシングルキャリアFDMA(SC-FDMA)システムを含んでいる。
【０００４】
基地局は、任意の瞬間において、フォワードリンク上で１つまたは複数の端末にデータを送信することができ、および／またはリバースリンクの上で1つまたは複数の端末からデータを受信することができる。基地局は、どの端末がデータ伝送のためにスケジュールされているかを示すこと、およびそのデータ伝送を受信することに直接関係する情報を伝達することを目的として、シグナリングを送ることができる。このシグナリングはオーバーヘッドを意味するため、できるかぎり効率的に送ることが望ましい。さらに、端末がシグナリングを信頼して受信することができるようにシグナリングを送ることが望まれる。
【０００５】
かくして、本件技術分野には、ワイヤレス通信システムにおいてシグナリングを効率的かつ確実に送信するための技術に対するニーズがある。
【発明の概要】
【０００６】
本件明細書では、ワイヤレス通信システムにおいてデータ伝送のためのシグナリングを送信するための技術が説明される。1つの態様において、送信機(例えば基地局)は、ブロック符号、畳み込み符号、符号変換等に基づいてデータ伝送のためのシグナリングを処理することができる。シグナリングは、データ伝送の宛先の受信機(例えばアクセス端末)の識別子、および／またはデータレート、資源割り当て等のようなデータ伝送のためのその他の情報を含んでもよい。データ伝送のためのシグナリングは、あるタイムスロットにおけるトーンの第1のセットにマップされることができる。データ伝送のためのデータは、そのタイムスロットにおけるトーンの第２のセットにマップされることができる。トーンの第1および第２のセットは、使用のために利用可能なトーンの全部または部分セットであるかもしれないところの、データ伝送のために割り当てられたトーンの中のものであってもよい。シグナリング全体がトーンの第1のセットの上で送られてもよい。代替的に、トーンの第1のセットが、シグナリングの第1の部分に基づいて、トーンの複数のセットの中から、または割り当てられたトーンの中から擬似乱数的に選択されてもよい。そして、シグナリングの第2の部分がトーンの第1のセットの上で送られてもよい。第1のセットにおけるトーンの数および／またはシグナリングのための送信電力は、チャネル条件に基づいて選択されることができる。
【０００７】
他のある態様において、受信機(例えばアクセス端末)は、あるタイムスロットにおけるトーンの第1のセットについての受信シンボルを得、その受信シンボルを処理することによって検出シグナリングを得ることができる。受信機は、その検出シグナリングに基づいて、データ伝送のための前記タイムスロットにおけるトーンの第２のセットを処理するべきかどうかを決定することができる。検出シグナリングがデータ伝送が送られることを示す場合、受信機は、その検出シグナリングに基づいてトーンの第２のセットを決定し、さらに、その第2のセットについての受信シンボルを処理（例えば、検出シグナリングから得たデータレートに基づいて処理）することにより、送信データを復元することができる。
【０００８】
本件開示の様々な態様および特徴は、以下においてさらに詳しく説明される。
【図面の簡単な説明】
【０００９】
【図１】図1は、ワイヤレス通信システムを示す。
【図２】図2は、例示的なスロット構造を示す。
【図３】図3は、シグナリングを送るためのトーン構造を示す。
【図４Ａ】図4Aは、シグナリングを送るための4つのさらなるトーン構造を示す。
【図４Ｂ】図4Bは、シグナリングを送るための4つのさらなるトーン構造を示す。
【図４Ｃ】図4Cは、シグナリングを送るための4つのさらなるトーン構造を示す。
【図４Ｄ】図４Dは、シグナリングを送るための4つのさらなるトーン構造を示す。
【図５】図5は、アクセスポイントおよびアクセス端末のブロック図を示す。
【図６】図6は、送信プロセッサおよびOFDM変調器のブロック図を示す。
【図７】図7は、シグナリングを複数の部分に分けて送るシグナリングプロセッサを示す。
【図８】図8は、1つの実施形態による送信プロセッサのブロック図を示す。
【図９】図9は、選択されたトーンセットの上でシグナリングを送るシグナリングプロセッサを示す。
【図１０】図10は、複数のトーンにわたってシグナリングシンボルを拡散するシグナリングプロセッサを示す。
【図１１】図11は、擬似乱数的に選択されたトーンの上でシグナリングを送るシグナリングプロセッサを示す。
【図１２】図12は、OFDM復調器および受信プロセッサのブロック図を示す。
【図１３】図13は、データおよびシグナリングを送信するプロセスを示す。
【図１４】図14は、シグナリングを送るプロセスを示す。
【図１５】図15は、データおよびシグナリングを受信するプロセスを示す。
【発明の詳細な説明】
【００１０】
本件明細書において説明される送信技術は、CDMA、TDMA、FDMA、OFDMAおよびSC-FDMAシステムのような様々なワイヤレス通信システムに使用されることができる。「システム」および「ネットワーク」という用語は、しばしば相互交換可能的に使用される。CDMAシステムは、cdma2000、UTRA（Universal Terrestrial Radio Access）のような無線技術を実装することができる。cdma2000は、IS-2000、IS-95およびIS-856標準をカバーする。UTRAは、ワイドバンドCDMA(W-CDMA)およびLCR（Low Chip Rate)を含んでいる。TDMAシステムは、GSM（登録商標）（Global System for Mobile Communications)のような無線技術を実装することができる。OFDMAシステムは、E-UTRA（Evolved UTRA）、UMB（Ultra Mobile Broadband）、IEEE 802.11(Wi-Fi)、IEEE 802.16(WiMAX)、IEEE802.20、フラッシュOFDM（登録商標）等を実装することができる。これらの様々な無線技術および標準は、本件技術分野において知られている。UTRA、E-UTRAおよびGSM（登録商標）は、3GPP（3rd Generation Partnership Project)という名の組織からの文献に説明されている。cdma2000は、3GPP2（3rd Generation Partnership Project 2）という名の組織からの文献に説明されている。
【００１１】
説明の明快さのために、以下では、IS-856を実装するHRPD(High Rate Packet Data)に関してある態様の伝送技術が説明される。HRPDは、EV-DO（Evolution-Data Optimized）、DO（Data Optimized）、HDR（High Data Rate）等とも呼ばれる。説明の明快さのために、以下の説明の多くの部分においてHRPD用語を使用する。
【００１２】
図1は、複数のアクセスポイント110および複数のアクセス端末120を備えたワイヤレス通信システム100を示す。アクセスポイントは、一般にアクセス端末と通信する固定局であって、基地局、ノードB等と呼ばれることもある。各アクセスポイント110は、特定の地理的エリア102のための通信カバレッジを提供し、そのカバレッジエリア内に位置するアクセス端末のための通信をサポートする。アクセスポイント110は、これらのアクセスポイントのために調整および制御を提供するシステムコントローラ130に結合されることができる。システムコントローラ130は、基地局コントローラ(BSC)、パケット制御機能(PCF)、パケット・データ・サービング・ノード(PDSN)等のような1つまたは複数のネットワークエンティティを含んでもよい。
【００１３】
アクセス端末120は、システム全体にわたって分散されてもよく、また各アクセス端末は、静止していても移動していてもよい。アクセス端末は、端末、移動局、ユーザ設備、加入者ユニット、ステーション等と呼ばれることもある。アクセス端末は、セルラ電話、携帯情報端末(PDA)、ワイヤレスデバイス、ハンドヘルドデバイス、ワイヤレスモデム、ラップトップ・コンピュータ等であってもよい。HRPDにおいて、アクセス端末は、任意の瞬間において1つのアクセスポイントからフォワードリンク上のデータ伝送を受け取り、また1つまたは複数のアクセスポイントに対しリバースリンク上のデータ伝送を送ることができる。フォワードリンク(またはダウンリンク)は、アクセスポイントからアクセス端末への通信リンクをいい、リバースリンク(またはアップリンク)は、アクセス端末からアクセスポイントへの通信リンクをいう。
【００１４】
図2は、フォワードリンク上の送信のために使用されることができるスロット構造200を示す。送信タイムラインは、スロットに分割されることができる。各スロットは、所定の時間間隔を持っている。ある設計において、各スロットは、1.667ミリ秒（ms）の存続時間を持ち、2048のチップにまたがっており、各チップの存続時間は813.8ナノ秒(ns)で、そのチップレート（単位時間あたりのチップ数）は、1.2288のメガチップ/秒(Mcps)である。各スロットは、2つの同一のハーフスロットに分割されてもよい。各ハーフスロットは、(1)ハーフスロットの中心部にあるパイロットセグメントと、そのパイロットセグメントの両側にある２つのMAC（Media Access Control）セグメントからなる１つのオーバーヘッドセグメント、および、(2)オーバーヘッドセグメントの両側にある２つのトラヒックセグメントを含んでもよい。トラヒックセグメントは、トラヒックチャネル、データセグメント、データフィールド等と呼ばれることができる。パイロットセグメントは、チップ96個分の存続時間を持っていてもよく、また初期同期補足、周波数および位相回復、タイミング回復、チャネル推定、無線合成等のために使用されることができるパイロットを運んでもよい。各MACセグメントは、チップ64個分の存続時間を持っていてもよく、またリバース電力コントロール（RPC）情報、チャネル構造、周波数、送信電力、符号化および変調等のシグナリングを運んでもよい。各トラヒックセグメントは、チップ400個分の存続時間を持っていてもよく、またトラヒックデータ（例えば、特定のアクセス端末のためのユニキャストデータ、ブロードキャストデータ等）および/またはシグナリングを運んでもよい。
【００１５】
トラヒックセグメントのためにOFDMおよび/またはSC-FDMを使用することは、望ましいことかもしれない。OFDMおよびSC-FDMは、システムバンド幅を複数の直交サブキャリアに分割する。この直交サブキャリアは、周波数ビン等と呼ばれる。各サブキャリアは、データ変調されることができる。一般に、変調シンボルは、周波数領域においてはOFDMを使用し、時間領域においてはSC-FDMを使用して送られる。OFDMおよびSC-FDMは、周波数選択性フェージングに起因するシンボル間の干渉に直ちに対処することができる能力のような、ある望ましい特性を持っている。OFDMは、MIMO（multiple-input multiple-output）および空間分割多元接続（SDMA）を効率よくサポートすることもできる。MIMOおよびSDMAは、各サブキャリアに対して独立に適用されてもよい。説明の明快さのために、以下では、トラヒックセグメント中のデータおよびシグナリングを送信するためにOFDMを使用することが説明される。
【００１６】
過去にさかのぼって初期のHRPD修正との互換性を維持しながらOFDMをサポートすることも望ましいことかもしれない。HRPDにおいて、パイロットおよびMACセグメントは、すべてのアクティブ端末によって常時復調されることができる。しかし、トラヒックセグメントは、現にサーブされている端末のみによって復調されることができる。したがって、過去にさかのぼっての互換性は、パイロットおよびMACセグメントの維持およびトラヒックセグメントの修正によって達成されることができる。
【００１７】
図2は、HRPDスロット構造を使用してOFDMをサポートする設計を示す。この設計において、R個のOFDMシンボルが１つのスロットで、すなわちトラヒックセグメントあたりR/4個のOFDMシンボルが送られることができる。なお、Rは任意の適切な整数である。一般に、OFDMシンボルは、様々なOFDMシンボル・ヌメロロジ(数秘学)に基づいて生成されることができる。各OFDMシンボル・ヌメロロジは、OFDMシンボルの存続時間、サブキャリアの数、サイクリック・プリフィックス長等のような直接関係するパラメータについての特別の値に関連づけられている。表1は、3つのOFDMシンボル・ヌメロロジをリストし、ある設計にしたがった各ヌメロロジについてのパラメータ値を与えている。
【表１】
0005710523.tif 000002
【００１８】
表1に示される設計において、各スロットは、合計1440個のトーンを含んでもよい。トーンは、1つのシンボル周期における1つのサブキャリアに対応し、1つの変調シンボルを送るために使用されることができる。トーンは、資源要素、送信単位等とも呼ばれることもある。T個のトーンのうちのいくつかはパイロットのために予約され、残りのトーンがデータおよび/またはシグナリングのために使用されてもよい。
【００１９】
アクセスポイントは、各スロットにおいて1つまたは複数のアクセス端末にデータを送ることができる。アクセスポイントは、各スロットにおいてシグナリングを送ることもできる。シグナリングは、プリアンブル、スケジューリング情報、制御情報、オーバーヘッド情報等とも呼ばれることがある。一般に、シグナリングは、フォワードおよび/またはリバースリンク上のデータ伝送をサポートするための任意の情報を含んでもよい。シグナリングは、任意の数のアクセス端末のためであってもよく、また任意のタイプの情報を含んでもよい。
【００２０】
ある設計において、シグナリングは、任意のスロットにおいてフォワードリンク上のデータ伝送のためにスケジュールされているのはどのアクセス端末であるかを示す情報を含んでよい。シグナリングは、フォワードリンク上で送られるデータ伝送を受信するためにスケジュールされている端末に直接関係するパラメータについての情報をさらに含んでもよい。例えば、シグナリングは、スケジュールされているアクセス端末のために使用されるデータレートに関係する情報を含んでもよい。このアクセス端末は、アクセスポイントのためのフォワードリンク・チャネル品質を推定し、当該推定されたチャネル品質およびその他のファクタに基づいてアクセス端末へのデータ伝送のためのデータレートを決定することができる。アクセス端末は、このデータレートをデータレート制御(DRC)チャネルの上でアクセスポイントに送ることができる。アクセスポイントは、アクセス端末によって送られたデータレートを使用する、またはその他のデータレートを選択することができる。アクセスポイントは、アクセスポイントによって選択されるデータレートと、アクセス端末によって提供されるデータレートとの間の違い(もしあれば)を示すレート調整を送ることができる。レート調整は、アクセスポイントがアクセス端末からのDRCフィードバックを上書きすることを可能にすることができる。レート調整は、アクセスポイントによって使用される実際のデータレートをアクセス端末にさらに提供することができる。その結果、アクセス端末は、データ伝送に使用され得る様々な異なるデータレートについて煩雑な復号を行うことの必要性を回避することができる。
【００２１】
ある設計において、スケジュールされているアクセス端末のためのシグナリングは、下記のものを含んでもよい。
【００２２】
・スケジュールされているアクセス端末の8ビットのMAC_ID、および
・スケジュールされているアクセス端末のための2ビットのレート調整。
【００２３】
アクセスポイントと通信するアクセス端末は、一意的なMAC_IDを割り当てられることができる。各アクセス端末は、そのMAC_IDによって識別されることができる。アクセス端末は、他のタイプの識別子に基づいて識別されることができる。
【００２４】
他のある設計において、スケジュールされているアクセス端末のためのシグナリングは、下記のものを含んでよい。
【００２５】
・スケジュールされているアクセス端末の8ビットのMAC_ID、
・スケジュールされているアクセス端末のための2ビットのレート調整、
・2ビットの割り当てサイズインジケータ、および
・1ビットの粘着性割り当てインジケータ。
【００２６】
スケジュールされているアクセス端末は、データ伝送のために可変量の資源を割り当てられることができる。割り当てサイズインジケータは、データ伝送のためにアクセス端末に割り当てられた資源の量を伝達することができる。ある設計において、各タイルが所定の数のトーンを含んでいるところのタイルを単位として資源が与えられてもよい。例えば、スロットは6枚のタイルに分割されてもよく、各タイルは240のトーンを含んでもよい。アクセス端末は、1、2、4または6枚のタイルを割り当てられてもよく、そのタイルは2ビットの割り当てサイズインジケータで伝達されてもよい。アクセス端末に割り当てられる特別のタイルは、シグナリングの位置に基づいて決定されてもよく、および／または他の手段によって伝達されてもよい。粘着性割り当てインジケータは、現在の資源割り当てが進行中であることを示すために1に設定され、また現在の資源割り当てが現在のスロットの後に終了することを示すために０に設定されてもよい。粘着性割り当てインジケータの使用は、何度も続く同じ資源割り当てのためにスロット中の同じシグナリングをいちいち送る必要性を回避することができる。
【００２７】
スケジュールされているアクセス端末のためのシグナリングは、様々な方法で送られてもよい。ある設計において、シグナリングは、トラヒックセグメントの間のOFDMシンボルにおいて送られることができる。シグナリングは、時間ダイバーシチを達成するためにシステムバンド幅にわたって分散されたトーンの上で送信されてもよく、および／または時間ダイバーシチを達成するために複数のシンボル周期にまたがって分散されたトーンの上で送信されてもよい。
【００２８】
図3は、表1における200チップのヌメロロジ2に基づいてシグナリングを送るためのーン構造300の設計を示す。この設計において、アクセス端末のためのシグナリングは、システムバンド幅全体にわたってかつ1つのハーフスロットにわたって分散されることができる1セットのK個のトーンの上で送られることができる。一般に、そのセットは、任意の数のトーンを含んでもよく、またKは、任意の値であってもよい。トーンの数(K)は、シグナリングのオーバーヘッドとシグナリングの信頼性との間のトレードオフに基づいて選択されることができる。ある設計において、セットはK=32のトーンを含み、そのトーンは、表1の200チップのヌメロロジ１の場合、(図3に示されるように)1シンボル周期あたり8つのトーンに、または100チップのヌメロロジ2の場合、1シンボル周期あたり４つのトーンに、または400チップのヌメロロジ３の場合、1シンボル周期あたり16のトーンに整理されることができる。周波数ダイバーシチを増加させるために、トーンは、図3に示されるように、異なるOFDMシンボル周期において異なるサブキャリアを占めることができる。一般に、スロットの中でシグナリングをより早く送ることは、アクセス端末がシグナリングをより早く受信し、データ伝送の処理準備をより早く開始することを可能にすることができる。このようにして、シグナリングは、最初のOFDMシンボル、最初のトラヒックセグメント、最初のハーフスロット等において送られることができる。
【００２９】
図4Aは、4×4のタイルを使用したシグナリングトーン構造の設計を示す。各4×4タイルは、2つのトラヒックセグメントの中で同じ4つのサブキャリアを占める2枚の4×2タイルからなるものであってもよい。この設計において、アクセス端末のためのシグナリングは、2つのハーフスロットに置かれている2枚の4×4タイルの中の32のトーンの上で送られることができる。
【００３０】
図4Bは、8×2タイルを使用したシグナリングトーン構造の設計を示す。
【００３１】
この設計において、アクセス端末のためのシグナリングは、2つのハーフスロットに置かれている2枚の8×2タイルの中の32のトーンの上で送られることができる。各タイルは、８つのサブキャリアをカバーし、1つのハーフスロットにおける最初の2つのシンボル周期に広がることができる。
【００３２】
図4Cは、16×1タイルを使用したシグナリングトーン構造の設計を示す。この設計において、アクセス端末のためのシグナリングは、2つのハーフスロットに置かれている2枚の16×1タイルの中の32のトーンの上で送られることができる。各タイルは、16のサブキャリアをカバーし、1つのハーフスロットにおける最初のシンボル周期に広がることができる。
【００３３】
図4Dは、1×1タイルを使用したシグナリングトーン構造の設計を示す。この設計において、アクセス端末のためのシグナリングは、2つのハーフスロットにわたって置かれている32枚の1×1タイルの中の32のトーンの上で送られることができる。各タイルは、1つのサブキャリアをカバーし、1つのシンボル周期にわたるものであってもよい。
【００３４】
図3ないし図４D は、K=32のトーンの上でシグナリングを送るためのいくつかの例示的トーン構造を示す。異なる数(例えば64、128等)のトーンの上で、および／または周波数および時間にわたるK個のトーンの異なる分布でもって、シグナリングを送るために、他のトーン構造も定義されることができる。周波数および時間の中でK個のトーンをより近づけて配置することは、シグナリングのために送られるあり得る符号語の間の直交性を改善し、復号の効率を改善する可能性がある。周波数および時間にわたってK個のトーンを分散させることは、ダイバーシチを改善する可能性がある。シグナリングは、使用のために選択された任意のトーン構造に基づいて送られることができる。
【００３５】
ある設計において、スケジュールされているアクセス端末のためのシグナリングは、データ伝送のためにそのアクセス端末に割り当てられた、すべてのトーンの中の指定された1セットのトーンの上で送られることができる。この指定されたトーンセットは、任意のスロットについて固定されることができるが、トーンごと異なってもよい。
【００３６】
他のある設計において、スケジュールされているアクセス端末のためのシグナリングは、複数の（Ｓ個の）トーンセットのうちの1つの上で送られることができる。S個のセットは、シグナリングを送るために使用されることができるすべてのトーン、例えば、データ伝送のためにアクセス端末に割り当てられたすべてのトーンに基づいて定義されることができる。S個のセットは、各トーンがたかだか1つのセットにしか属しないように互いに素であってもよい。セットの数（Ｓ）は、利用可能なトーンの数、および各セットの中のトーンの数（Ｋ）に依存してもよい。ある設計において、表1に示されるヌメロロジに基づいて、残りのハーフスロットのためにS=16個のトーンセットが形成されることができる。各セットは、K=32個のトーンを含んでいる。S個のセットのうちの1つは、シグナリングの第1の部分に基づいて使用のために選択されてもよく、その選択されたトーンセットは、シグナリングの残りの部分を送るために使用されることができる。シグナリングは、選択されたトーンセット上のデータを一部パンクチャ（または置換）することができる。
【００３７】
図5は、図1の中の複数のアクセスポイントおよび複数のアクセス端末のうちの1つであるアクセスポイント110xおよびアクセス端末120xの設計のブロック図を示す。説明の単純さのために、フォワードリンク上の送信のための処理装置だけが図5に示されている。同じく説明の単純さのために、アクセスポイント110xおよびアクセス端末120xは、各々1本のアンテナで示されている。一般に、各エンティティは、任意の数のアンテナを装備してもよい。
【００３８】
アクセスポイント110xにおいて、送信プロセッサ510は、1つまたは複数のスケジュールされているアクセス端末のためのトラヒックデータ、およびスケジュールされているアクセス端末のためのシグナリングを受信することができる。送信プロセッサ510は、トラヒックデータ、パイロットおよびシグナリングを処理(例えば、符号化、インタリーブ、またシンボルマップ)し、データシンボル、パイロットシンボルおよびシグナリングシンボルをそれぞれを提供することができる。データシンボルはトラヒックデータのためのシンボルであり、パイロットシンボルはパイロットのためのシンボルであり、シグナリングシンボルはシグナリングのためのシンボルであり、また、シンボルは典型的には複素数である。OFDM変調器(Mod)520は、送信プロセッサ510からデータ、パイロットおよびシグナリングシンボルを受信し、これらのシンボルに対してOFDM変調を行ない、OFDMについての出力サンプルを提供することができる。送信プロセッサ512は、トラヒックデータ、パイロット、および/またはオーバーヘッド情報を受信し、処理することができる。これらは、CDM（符号分割多重）で送られる。CDM変調器522は、送信プロセッサ512の出力上でCDM変調を行ない、CDMについての出力サンプルを提供することができる。多重化器（Mux)524は、変調器520および522からの出力サンプルを多重化し、OFDMシンボルが送られる時間期間(すなわちOFDM時間期間)の間にOFDM変調器520からの出力サンプルを提供し、CDMデータが送られる時間期間(すなわちCDM時間期間)の間にCDM変調器522からの出力サンプルを提供することができる。送信機(TMTR)526は、多重化器524からの出力サンプルを処理（例えば、アナログへの変換、増幅、フィルタ処理、および周波数アップコンバート）し、フォワードリンク信号を生成することができる。そのフォワードリンク信号は、アンテナ528によって送信されることができる。
【００３９】
アクセス端末120xにおいて、アンテナ552は、アクセスポイント110xからフォワードリンク信号を受信し、受信信号を受信機(RCVR)554に提供することができる。受信機554は、受信信号を処理(例えば、フィルタ処理、増幅、周波数ダウンコンバート、およびデジタル化)し、受信サンプルを提供することができる。分離器(Demux)556は、OFDM時間期間における受信サンプルをOFDM復調器(Demod)560に提供し、CDM時間期間における受信サンプルをCDM復調器562に提供することができる。OFDM復調器560は、受信サンプルに対してOFDM復調を行い、受信シグナリングシンボルおよび受信データシンボルを提供することができる。これらのシンボルは、アクセスポイント110xによってアクセス端末120xに送られたシグナリングシンボルおよびデータシンボルの推定である。受信プロセッサ570は、アクセス端末120xのために、検出シグナリングを得るために受信シグナリングシンボルを処理することができる。受信プロセッサ570は、アクセス端末120xのために、符号化されたデータを得るために受信データシンボルをさらに処理することができる。CDM復調器562は、受信サンプルに対してCDM復調を行うことができる。受信プロセッサ572は、アクセスポイント110xによってアクセス端末120xに送られた情報を復元するために、CDM復調器562の出力を処理することができる。一般に、アクセス端末120xによる処理は、アクセスポイント110xによる処理に対して相補的である。
【００４０】
コントローラ/プロセッサ530および580は、それぞれアクセスポイント110xおよびアクセス端末120xにおけるオペレーションを指令することができる。メモリ532および582は、それぞれアクセスポイント110xおよび端末120xのためにプログラムコードおよびデータを記憶することができる。
【００４１】
図6は、図5のアクセスポイント110xにおける送信プロセッサ510およびOFDM変調器520の設計のブロック図を示す。送信プロセッサ510の内において、シグナリングプロセッサ610は、1つまたは複数のスケジュールされているアクセス端末のためのシグナリングを処理し、シグナリングシンボルを提供することができる。トラヒックプロセッサ620は、スケジュールされているアクセス端末のためのトラヒックデータを処理し、データシンボルを提供することができる。パイロットプロセッサ630は、パイロットを処理し、パイロットシンボルを提供することができる。トーンマップ器640は、シグナリング、データおよびパイロットシンボルを受信し、これらのシンボルを適切なトーンにマップすることができる。各シンボル周期において、トーンマップ器640は、N個のサブキャリアについてN個のシンボルをOFDM変調器520に提供することができる。
【００４２】
OFDM変調器520の内において、逆離散フーリエ変換(IDFT)ユニット650は、N個のサブキャリアについてのN個のシンボルに対してN-点のIDFTを実行し、N個の時間領域サンプルを含んでいる有用な部分を提供することができる。サイクリック・プリフィックス生成器652は、前記有用部分の最後のC個のサンプルをコピーし、かつこれらC個のサンプルを前記有用部分の前部に添付することによって、サイクリック・プリフィックスを添付することができる。ウィンドーイング／パルス整形フィルタ654は、生成器652からのサンプルをフィルタ処理し、N+C個のサンプルからなるOFDMシンボルを提供することができる。なお、NおよびCは、使用のために選択されたヌメロロジに依存する。
【００４３】
説明の明快さのために、以下では1つのスケジュールされているアクセス端末(例えばアクセス端末120x)のためのシグナリングの処理が説明される。シグナリングは、P個のビットを含んでもよい。ここで、Pは任意の整数値であってよい。ある設計において、シグナリングは、P=10ビットを含み、8ビットのMAC_IDおよび2ビットのレート調整を備えるものであってもよい。他のある設計において、シグナリングは、P=13ビットを含み、8ビットのMAC_ID、2ビットのレート調整、2ビットの割り当てサイズインジケータおよび1ビットの粘着性割り当てインジケータを備えるものであってもよい。
【００４４】
図7は、送信プロセッサ510aのブロック図を示す。これは、図6の中の送信プロセッサ510の1つの設計である。この設計において、アクセス端末120xのためのシグナリングは、2つの部分に分割され、トーンの2つのサブセット上で送られることができる。1つのサブセットは、K1個のトーンを含み、他のサブセットは、K2個のトーンを含んでもよい。ここで、K= K1+ K2である。シグナリングプロセッサ610aは、図6の中のシグナリングプロセッサ610の1つの設計である。このシグナリングプロセッサ610aの内において、ブロック符号化器710aは、(K1, M)ブロック符号を用いてシグナリングのM個の最上位ビット（MSBs）を符号化し、K1個の符号ビットを提供することができる。シンボルマップ器712aは、例えばBPSKに基づいて、K1個の符号ビットをK1個の変調シンボルにマップすることができる。利得ユニット714aは、シグナリングのために所望の送信電力を得るためにK1個の変調シンボルをスケール調整し、K1個のシグナリングシンボルを提供することができる。ブロック符号化器710bは、(K2, L)ブロック符号を用いてシグナリングのL個の最下位ビット（LSBs）を符号化し、K2個の符号ビットを提供することができる。シンボルマップ器712bは、K2個の符号ビットをK2個の変調シンボルにマップすることができる。利得ユニット714bは、シグナリングのために所望の送信電力を得るためにK2個の変調シンボルをスケール調整し、K2個のシグナリングシンボルを提供することができる。ある設計において、M=L=5、K1=K2=16であって、各ブロック符号化器710は、(16, 5)ブロック符号を実装することができる。M、L、K1およびK2について他の値が使用されることができる。
【００４５】
ある設計において、直交符号がシグナリングのために使用されてもよく、Bビットシグナリング値を2Bビットの符号語にマップすることができる。例えば、ウォルシュ符号は、4つのあり得る2ビットのシグナリング値を0000、0101、0011および0110の符号語にマップすることができる。他のある設計において、双直交符号がシグナリングのために使用されてもよく、Bビットのシグナリング値を2B-1ビットの符号語にマップすることができる。例えば、ある双直交符号は、4つのあり得る2ビットのシグナリング値を00、11、01および10の符号語にマップすることができる。Bビットの双直交符号は、（B−１）ビットの双直交符号におけるすべての符号語、およびその相補的符号語を使用することができる。下記に述べられるように、シグナリングのために他の符号を使用することもできる。
【００４６】
シグナリングを複数の部分に分けることは、直交符号または双直交符号で符号化されるときシグナリングを送るために使用されるトーンの数を減らすことを可能にする。例えば、ある直交符号は、10ビットのシグナリング値を1024ビットの符号語にマップすることができる。この10ビットのシグナリングは、2つの5ビットの部分に分割されることができる。5ビットの部分の各々は、32ビットの符号語にマップされることができる。こうして10ビットのシグナリング値のために合計64ビットが生成される。シグナリングを複数の部分に分けることは、送るべきシグナリングビットの数、シグナリングに使用すべきトーンの数、所望の符号化利得、検波パフォーマンス等のような様々な考慮に基づいてなされることができる。
【００４７】
トラヒックプロセッサ620の内において、符号化器720は、アクセス端末のために選択されたデータレートに基づいて、スケジュールされているアクセス端末120xのためのトラヒックデータを符号化し、符号ビットを提供することができる。シンボルマップ器722は、選択されたデータレートによって決定された変調スキームに基づいて、前記符号ビットを変調シンボルにマップすることができる。利得ユニット724は、トラヒックデータのために所望の送信電力を得るために変調シンボルをスケール調整し、データシンボルを提供することができる。パイロットプロセッサ630の内において、パイロット生成器730は、パイロットのためのシンボルを生成することができる。利得ユニット734は、パイロットのために所望の送信電力を得るために生成器730からのシンボルをスケール調整し、パイロットシンボルを提供することができる。トーンマップ器640aは、プロセッサ610aからの32のシグナリングシンボルをシグナリングのために使用される32のトーンにマップし、プロセッサ620からのデータシンボルをトラヒックデータのために使用されるトーンにマップし、およびプロセッサ630からのパイロットシンボルをパイロットのために使用されるトーンにマップすることができる。
【００４８】
シグナリングはまた、3以上の部分に分けられ、別々に符号化され、3以上のトーンサブセットの上で送られてもよい。ある設計において、アクセス端末120xのための13ビットのシグナリングは、次の3つの部分に分けられることができる。第1の4ビット部分は、(8, 4)ブロック符号で符号化されて、8つのトーンにマップされる。第2の4ビット部分も、(8, 4)ブロック符号で符号化されて、他の8つのトーンにマップされる。第3の5ビット部分は、(16, 5)ブロック符号で符号化されて、他の16のトーンにマップされる。他のある設計において、13ビットのシグナリングは、次の4つの部分に分けられることができる。第1の3ビット部分は、(4, 3)ブロック符号で符号化されて、4つのトーンにマップされる。第2の3ビット部分も、(4, 3)ブロック符号で符号化されて、他の4つのトーンにマップされる。第3の3ビット部分も、(4, 3)ブロック符号で符号化されて、他の4つのトーンにマップされる。第4の4ビット部分は、(8, 4)ブロック符号で符号化されて、他の8つのトーンにマップされる。シグナリングは、単一のブロック符号で符号化され、１つのトーンセット上で送られることができる。
【００４９】
図8は、送信プロセッサ510bのブロック図を示す。これは、図6の中の送信プロセッサ510の他のある設計である。この設計において、アクセス端末120xのためのシグナリングは、各セットがK個のトーンを含むところのS個のあり得るトーンセットの上で送られることができる。ここで、SおよびKは任意の整数値であってよい。シグナリングプロセッサ610bは、図6の中のシグナリングプロセッサ610の他のある設計である。シグナリングプロセッサ610bの内において、ブロック符号化器810は、(K, L)ブロック符号を用いてシグナリングのL個のLSBを符号化し、K個の符号ビットを提供することができる。シンボルマップ器812は、K個の符号ビットをK個の変調シンボルにマップすることができる。利得ユニット814は、K個の変調シンボルをスケール調整し、K個のシグナリングシンボルを提供することができる。選択器816は、シグナリングのM個のMSBを受信し、M個のMSBに基づいてS個のあり得るトーンセットのうちの1つを選択することができる。ここで、S≧２Mである。トーンマップ器640bは、選択されたセットにおいて、プロセッサ610bからのK個のシグナリングシンボルをK個のトーンにマップし、またデータおよびパイロットシンボルをそれぞれトラヒックデータおよびパイロットのために使用されるトーンにマップすることができる。
【００５０】
表2は、図8の中のシグナリングプロセッサ610bのいくつかの例示的設計を示す。これらの設計は、シグナリングがP=10ビットを含んでいること、合計512のトーンがシグナリングを送るために使用されることができること、およびシグナリングのためにBPSKが使用されることを前提にしている。他のシグナリングサイズ、他の変調スキーム等のために、S、K、Mおよび/またはLについては、他の値が使用されてもよい。例えば、BPSKの代わりにQPSKが使用されてもよく、またトーンの数が半分に減らされてもよい。
【表２】
0005710523.tif 000003
【００５１】
複数のトーンセットのうちの1つのトーンセットの上でシグナリングを送ることは、ある利点を提供することができる。いくつかのシグナリングビットは、使用のために選択されたトーンの特定のセットによって送られることができる。また、残りのシグナリングビットは、トーンの選択されたセット上で送られることができる。セットの数および各セットにおけるトーンの数は、送るべきシグナリングビットの数、シグナリングを送るために利用可能なトーンの数、所望の符号化利得、検波パフォーマンス等のような様々な考慮に基づいて選択されることができる。
【００５２】
図9は、送信プロセッサ510cのブロック図を示す。それは、図6の中の送信プロセッサ510のさらに別の設計である。この設計において、アクセス端末120xのためのシグナリングは、各セットがK個のトーンを含むところのS個のあり得るトーンセットのうちの1つの上で送られることができる。シグナリングプロセッサ610cは、図6の中のシグナリングプロセッサ610のさらに別の設計である。シグナリングプロセッサ610cの内において、ブロック符号化器910は、ブロック符号化を用いてシグナリングのL 個のLSBを符号化し、符号ビットを提供することができる。シンボルマップ器912は、符号ビットをK個の変調シンボルにマップすることができる。離散フーリエ変換(DFT)ユニット914は、K-点のDFTによってK個の変調シンボルを変換し、K個の周波数領域シンボルを提供することができる。ユニット914は、各変調シンボルをトーン全体またはトーンの大部分の上に拡散させることができる他のなんらかのユニタリ変換によって置換させられてもよい。利得ユニット916は、周波数領域シンボルをスケール調整し、K個のシグナリングシンボルを提供することができる。選択器918は、シグナリングのM個のMSBを受信し、M個のMSBに基づいてS 個のトーンセットのうちの1つのトーンセットを選択することができる。トーンマップ器640dは、選択されたトーンセットについて、プロセッサ610cからのK個のシグナリングシンボルをK個のトーンにマップし、データおよびパイロットシンボルをそれぞれトラヒックデータおよびパイロットのために使用されたトーンにマップすることができる。
【００５３】
ユニット914によるDFT処理は、シグナリングのL個の LSBのために周波数ダイバーシチを提供することができる。パフォーマンスを改善するために受信機においてイコライゼーションが使用されてもよい。
【００５４】
図8および9に示される設計において、MAC_IDは、シグナリングのMSBの部分の中で送られてもよい。この場合、各アクセス端末は、そのMAC_IDに基づいて、S個のあり得るトーンセットのうちの1つのトーンセットにマップされることができる。その後、各アクセス端末は、その割り当てられたトーンセットだけの上でシグナリングを検波することができる。
【００５５】
図10は、送信プロセッサ510dのブロック図を示す。これは、図6の中の送信プロセッサ510のさらに別の設計である。この設計において、アクセス端末120xのためのシグナリングは、K個のトーンからなるトーンセットの上で送られることができる。シグナリングプロセッサ610dは、図6の中のシグナリングプロセッサ610のさらに別の設計である。シグナリングプロセッサ610dの内において、巡回冗長検査(CRC)生成器1010は、シグナリングのためのCRCを生成することができる。CRCは、アクセス端末120xによって誤り検出のために使用されることができる。畳み込み符号化器1012は、CRCおよびシグナリングを符号化し、符号ビットを提供することができる。パンクチャユニット1014は、所望の数の符号ビットを得るために、符号ビットのうちのいくつかをパンクチャまたは削除することができる。シンボルマップ器1016は、ユニット1014からの符号ビットをK個の変調シンボルにマップすることができる。利得ユニット1018は、変調シンボルをスケール調整し、K個のシグナリングシンボルを提供することができる。トーンマップ器640dは、選択されたトーンセットについて、プロセッサ610dからのK個のシグナリングシンボルをK個のトーンにマップし、データおよびパイロットシンボルをそれぞれトラヒックデータおよびパイロットのために使用されるトーンにマップすることができる。
【００５６】
ある設計において、CRC生成器1010は、10ビットのシグナリングのために10ビットのCRCを生成することができる。畳み込み符号化器1012は、8つのテールビットを追加し、次に、合計28ビットに対して符号化率1/3の畳み込み符号を適用し、84ビットの符号ビットを得ることができる。パンクチャユニット1014は、84符号ビットのうちの20をパンクチャし、64符号ビットを提供することができる。シンボルマップ器1016は、64符号ビットを32のQPSK変調シンボルにマップすることができる。32のQPSK変調シンボルは、K=32のトーンにマップされることができる。シグナリングプロセッサ610dのために他の値を使用することも可能である。
【００５７】
図11は、送信プロセッサ510eのブロック図を示す。これは、図6の中の送信プロセッサ510のさらに別の設計である。この設計において、アクセス端末120xのためのシグナリングは、アクセス端末120xに割り当てられたすべてのトーンの中から擬似乱数的に選択されることができるK個のトーンの上で送られることができる。
【００５８】
シグナリングプロセッサ610eは、図6の中のシグナリングプロセッサ610のさらに別の設計である。シグナリングプロセッサ610eの内において、ブロック符号化器1110は、シグナリングのL個のLSBをブロック符号で符号化し、符号ビットを提供することができる。シンボルマップ器1112は、符号ビットをK個の変調シンボルにマップすることができる。利得ユニット1114は、K個の変調シンボルをスケール調整し、K個のシグナリングシンボルを提供することができる。トーン選択器1116は、シグナリングのM 個のMSBおよび、可能性としてセルID、スロットインデックス等のようなその他の情報を受信することができる。選択器1116は、その入力に基づいて、アクセス端末120xに割り当てられたすべてのトーンの中から擬似乱数的にK個のトーンを選択することができる。トーンマップ器640eは、プロセッサ610eからのK個のシグナリングシンボルをK個の擬似乱数的に選択されたトーンにマップし、またデータおよびパイロットシンボルをそれぞれトラヒックデータおよびパイロットのために使用されるトーンにマップすることができる。
【００５９】
図11に示される設計において、シグナリングは、「フラッシュ」技術を使用して送られることができる。フラッシュ技術は、トラヒック送信電力より高い送信電力(例えば6dB以上)を用いることによってより少ない数のトーンで情報を送るものである。同一セル内の異なるアクセス端末のためのシグナリングの間の衝突は、各々のアクセス端末のためのシグナリングをその端末に割り当てられたトーンの上で送ることによって回避することができる。異なるセル内の異なるアクセス端末のためのシグナリングの間の衝突は、トーンを擬似乱数的に選択することによって低減することができる。ある設計において、M個のMSBは8ビットMAC IDを含んでよく、L個の LSBは残りのシグナリングの部分を含んでよい。上で説明された10ビットのシグナリング設計に関し、L 個のLSBは2ビットのレート調整を含んでよく、またK=2個のトーンは、擬似乱数的に選択され、シグナリングを送るために使用されてもよい。上で説明された13ビットのシグナリング設計に関し、L 個のLSBは2ビットのレート調整、2ビットの割り当てサイズインジケータおよび1ビットの粘着性割り当てインジケータを含んでよく、またK=5個のトーンは、擬似乱数的に選択され、シグナリングを送るために使用されてもよい。トーンは、指定されたグループ、スロットの中のすべてのトーン等の中から選択されてもよい。
【００６０】
図7ないし11は、図6のシグナリングプロセッサ610のいくつかの例示的設計を示す。シグナリングプロセッサ610は、他の設計を用いて実装することもできる。
【００６１】
上に説明されたいくつかの設計において、シグナリングの全体または一部は、符号ビットを生成するために1つまたは複数のブロック符号化器を用いて符号化されることができる。ある設計において、シグナリングは、1つまたは複数の静的ブロック符号化器で符号化されることができる。静的ブロック符号化器は、あらかじめ定めたコードブックを持っており、あり得るシグナリング値の各々を1つの特定の符号語または出力値にマップする。静的ブロック符号化器は、直交符号、双直交符号、ハミング符号、リード・ミュラー符号、リード・ソロモン符号、繰返し符号等のような、本件技術分野において公知の任意のブロック符号を実装することもできる。
【００６２】
他のある設計において、シグナリングは、1つまたは複数の動的ブロック符号化器で符号化されることができる。動的ブロック符号化器は、時間とともに変化するコードブックを持っている。例えば、コードブックは、スロットごとに異なるものであってよく、任意のシグナリング値は、異なるスロットでは異なる符号語にマップされることができる。動的ブロック符号化器は、擬似乱数（PN）シーケンスに基づいて導出される「疑似乱数コードブック」を実装することができる。各アクセス端末は、各スロットの開始時に更新されることができる一意的な48ビットのPNシーケンスを割り当てられることができる。48ビットのPNシーケンスに基づいて、長さ32の16個の符号語が定義されることができる。例えば、m番目の符号語は、PNシーケンスのビットmないしm+31を備えている。ここで、ｍ＝0,1,…,15である。擬似乱数コードブック中の任意の2つの符号語の間の相関は、PNシーケンスの擬似乱数性のゆえに小さなものであろう。異なるアクセス端末のために異なるコードブックが使用されてよく、またそれぞれ異なるPNシーケンスに基づいて生成されてよい。さらに、各アクセス端末のためのコードブックは、そのアクセス端末のPNシーケンスに基づいて時間とともに変化してもよい。これらのコードブックは、アクセスポイントおよび各アクセス端末によって容易に生成されることができる。擬似乱数コードブックを使用すると、あるチャネル条件下で偽警報を減らすことができる。偽警報とは、何も送信されなかったまたはシグナリングが異なるアクセス端末に宛てられているときの符号語の宣言である。
【００６３】
アクセス端末120xのためのシグナリングは、アクセス端末120xによるシグナリングの受信の信頼性を確実なものとするために、チャネル条件に基づいて適応的な方法で送られることができる。ある設計において、シグナリングは、チャネル条件に基づいて決定されることができる可変数のトーンの中で送られることができる。チャネル条件は、例えばアクセス端末120xからのDRCフィードバックに基づいて確かめられることができる。一般に、悪いチャネル条件(例えば低いSNR)については、より多くのトーンが使用され、良いチャネル条件(例えば高いSNR)については、より少ないトーンが使用される可能性がある。あ
る設計において、シグナリングは、チャネル条件(例えばDRCフィードバック)に依存して、8、16、32、64、128または512のトーンの上で送られることができる。シグナリングは、固定のシグナリング対パイロット電力比で送られることができる。
【００６４】
他のある設計において、アクセス端末120xのためのシグナリングは、固定数のトーンにおいて送られることができるが、シグナリングのための送信電力は、チャネル条件によって変化させられることができる。一般に、悪いチャネル条件(例えば、より高いシグナリング利得)については、より多くの送信電力が使用され、良いチャネル条件(例えば、より低いシグナリング利得)については、より少ない送信電力が使用される可能性がある。シグナリング送信電力は、DRCフィードバックの関数であってもよい。
【００６５】
アクセス端末120xのためのシグナリングは、アクセスポイントにおける1つまたは複数のアンテナから送られることができる。ある設計において、複数のアンテナが利用可能であるときでさえ、シグナリングは1つアンテナから送られることができる。他のある設計において、シグナリングは、送信ステアリングベクトルでプリコードされ（または空間的に処理され）て、複数のアンテナから送られることができる。この設計において、シグナリングは、送信ステアリングベクトルで形成される1つの仮想アンテナから送られることができる。さらに他のある設計において、シグナリングは、時空間ブロック符号で符号化されて、複数のアンテナ、例えば、時空間送信ダイバーシチ（STTD）を用いる2つのアンテナから送信されることができる。シグナリングは、トラヒックおよびパイロットと同様の方法でプリコードされることができる。
【００６６】
図12は、図5のアクセス端末120x におけるOFDM復調器560および受信プロセッサ570の設計のブロック図を示す。OFDM復調器560の内において、サイクリック・プリフィックス削除ユニット1210は、各OFDMシンボル周期においてN+C個の受信サンプルを得、サイクリック・プリフィックスを削除し、および有用な部分のためにN個の受信サンプルを提供することができる。DFTユニット1212は、N個の受信サンプルに対してN-点のDFTを実行し、N個のサブキャリアのためにN個の受信シンボルを提供することができる。分離器1214は、トラヒックデータおよびシグナリングについての受信シンボルをデータ復調器1216に提供し、パイロットについての受信シンボルをチャネル推定器1218に提供することができる。チャンネル推定器1218は、パイロットについての受信シンボルに基づいてチャネル推定を導き出すことができる。データ復調器1216は、チャネル推定器1218からのチャネル推定を用いて、トラヒックデータおよびシグナリングについての受信シンボルに対してデータ検波(例えばマッチ・フィルタリング、イコライゼーション等)を実行し、受信データシンボルおよび受信シグナリングシンボルを提供することができる。
【００６７】
受信プロセッサ570の内では、トーン逆マップ器 1220は、受信シグナリングシンボルをシグナリング検出器1230に提供し、受信データシンボルを受信(RX)トラヒックプロセッサ1240に提供することができる。トーン逆マップ器 1220は、アクセスポイント110xと同じ方法で、例えば、図8、9および11に示される設計の場合はアクセス端末120xのMAC_IDのすべてまたは部分に基づいて、および図7および10に示される設計の場合はトーンの所定のセットに基づいて、シグナリングのために使用されるトーンを決定することができる。シグナリング検出器1230は、受信シグナリングシンボルに基づいて、アクセス端末120xに送られたシグナリングを検出し、検出シグナリングを出力することができる。シグナリング検出器1230の内において、メトリック計算ユニット1232は、シグナリングのために送られる可能性のある符号語の各々についてメトリックを計算することができる。符号語検出器1234は、前記メトリックに基づいて、いずれかの符号語がアクセス端末120xに送られたかどうかを決定することができる。もし符号語が送られていたら、符号語検出器1234は、この符号語に関連づけられた情報を、検出シグナリングとして提供することができる。RXトラヒックプロセッサ1240の内において、ユニット1242は、シグナリング検出器1230から提供された検出シグナリング(例えばレート調整)に基づいて、符号ビットについての対数尤度比(LLR)を計算することができる。復号器1244は、検出シグナリングに基づいてLLRを復号し、アクセス端末120xのための復号データを提供することができる。
【００６８】
アクセス端末120xにおける受信シグナリングシンボルは、次のように表現されることができる。
【数１】
0005710523.tif 000004
【００６９】
ここで、skはトーンkの上で送られたシグナリングシンボル、ckはトーンkについての複合チャネル利得、Ekはトーンkの上で送られたシグナリングシンボルのための送信電力、nkはトーンkについての雑音、およびrkはトーンkについての受信シグナリングシンボルである。
【００７０】
ある設計において、ユニット1232は、シグナリングのためのあり得る符号語の各々mについてのメトリックQmを以下のように計算することができる。
【数２】
0005710523.tif 000005
【００７１】
ここで、ck（ハット付の記号）はトーンkについてのチャネル利得の推定、sk,mはm番目の符号語についてのトーンkについてのシグナリングシンボル、Ntは雑音分散(推定値であってよい)であって、「*」は複素共役を表し、「Re」は実数部を表す。式(2)のメトリックは、他のアクセス端末のためのシグナリングからの偽警報という点に関して良い検波パフォーマンスを提供することができる。 
他のある設計において、ユニット1232は、あり得る符号語の各々mについてのメトリックQmを以下のように計算することができる。
【数３】
0005710523.tif 000006
【００７２】
式(3)のメトリックは、他のアクセス端末のためのトラヒックデータおよびシグナリングからの偽警報という点に関して良い検波パフォーマンスを提供することができる。受信された符号語が直交的でないときも同様である。
【００７３】
シグナリング検出器1230は、アクセス端末120xのためのあり得る異なる資源割り当ての各々についてシグナリングを検出することができる。あり得る資源割り当ての各々について、ユニット1232は、シグナリングのためにアクセス端末120xに送られるかもしれない各々のあり得る符号語についてのメトリックQmを計算することができる。検出器1234は、各符号語について計算されたメトリックを閾値と比較し、もしメトリックが閾値を超えていたら符号語の検出を宣言することができる。あらゆるチャネル・シナリオ、例えば、異なる電力遅延プロフィール、高いおよび低いジオメトリ/SNR、高いおよび低いモビリティ/ドップラ等に対し、単一の閾値が使用されてもよい。代替的に、異なるチャネル・シナリオには異なる閾値が使用されてもよい。閾値（単数または複数）は、所望の偽警報発生確率および検出確率を達成するように選択されることができる。
【００７４】
図12は、例えば、図7、8および11に示されているようなブロック符号化によって送られるシグナリングのために使用されうるシグナリング検出器1230の設計を示す。ブロック復号は、他の方法で行われることができる。シグナリングが例えば図9に示されるようなDFTプリコーディングを使用して送られる場合、シグナリング検出器は、ブロック復号の前にIDFTを実行することができる。シグナリングが例えば図10に示されるような畳み込み符号化を使用して送られる場合、シグナリング検出器は、ビタビ復号を実行することができる。
【００７５】
図13は、データおよびシグナリングを送信するためのプロセス1300の設計を示す。プロセス1300は、ダウンリンク送信の場合はアクセスポイントによって、またアップリンク送信の場合はアクセス端末によって実行されることができる。データ伝送のためのシグナリングに対し、例えば、ブロック符号、畳み込み符号等に基づく符号化処理などの処理がなされることができる（ブロック1312）。ブロック符号は、直交符号、双直交符号、静的ブロック符号、動的ブロック符号、擬似乱数ブロック符号等であってよい。擬似乱数のブロック符号は、データ伝送が送られる宛先の受信機(例えばアクセス端末)のためのPNシーケンス、またはその受信機のための固有のPNシーケンスに基づくものであってもよい。シグナリングも複数の部分に分割されてもよい。分割されたシグナリングの各部分は、それぞれの符号で符号化されてもよい。シグナリングも複数のトーンにわたって各シグナリングシンボルを拡散させる目的でDFTまたはその他の変換方式で処理されてもよい。シグナリングは、受信機(例えばアクセス端末)の識別子、データ伝送のためのデータレートを示す情報、データ伝送のための資源割り当てを示す情報等を含んでもよい。データ伝送のためのデータに対し、例えば、符号化、インタリーブ、およびシンボルマップ処理などの処理がなされることができる（ブロック1314）。
【００７６】
データ伝送のためのシグナリングは、あるタイムスロットにおけるトーンの第1のセットにマップされることができる(ブロック1318)。データ伝送のためのデータは、前記タイムスロットにおけるトーンの第2のセットにマップされることができる(ブロック1316)。トーンの第1および第2のセットは、データ伝送のために割り当てられたトーンの中にあってもよい。第1のセットのトーンは、(1)システムバンド幅にわたって分散させられてよく、および／または(2)タイムスロットにわたって分散させられるかまたはタイムスロットの初期の部分に置かれてもよい。シグナリング全体は、図7および10に示されているように、トーンの第1のセット上で送られることができる。代替的に、シグナリングは、第1および第2の部分を備え、トーンの第1のセットは、シグナリングの第1の部分に基づいて選択されてよく、シグナリングの第2の部分は、例えば図8、9および11に示されているように、トーンの第1のセットの上で送られることができる。
【００７７】
第1のセットのトーンの数および／またはシグナリングのための送信電力は、データ伝送のためのチャネル条件に基づいて選択されることができる。タイムスロットは、1つまたは複数のオーバーヘッドセグメントによって時分割多重された1つまたは複数のトラヒックセグメントを含んでよい。トーンの第1および第2のセットは、トラヒックセグメント（単数または複数）の中に置かれてよい。
【００７８】
図14は、シグナリングを送るためのプロセス1400の設計を示す。プロセス1400も、アクセスポイントまたはアクセス端末によって実行されてよい。シグナリングは、第1の部分および第2の部分を含む複数の部分に分割されることができる（ブロック1412）。シグナリングは、データ伝送のためのどのような情報も含んでもよく、また各部分のサイズも任意であってよい。例えば、シグナリングの第1の部分は、データ伝送のための受信機(例えばアクセス端末)の識別子のすべてまたは一部を含んでもよい。
【００７９】
トーンのセットは、シグナリングの第1の部分に基づいて、複数のトーンの中から選択されることができる(1414を閉鎖する)。前記複数のトーンとは、データ伝送のために割り当てられたトーン、またはシグナリングを送るために利用可能なトーンであってよい。トーンのセットは、シグナリングの第1の部分に基づいて、トーンの複数のセットの中から選択されることができる。トーンのセットはまた、シグナリングの第1の部分、データ伝送を送る送信機(例えばアクセスポイントまたはセル)の識別子、データ伝送が送られるタイムスロットのインデックス等に基づいて、複数のトーンの中から擬似乱数的に選択されることができる。 
シグナリングの第2の部分は、静的ブロック符号、時間で変わるブロック符号、擬似乱数ブロック符号、畳み込み符号等に基づいて、符号化されることができる。シグナリングの第2の部分もDFTまたは他のなんらかの変換方式に基づいて処理されてよい。シグナリングの第2の部分は、トーンの選択されたセットの上で送られることができる(ブロック1416)。シグナリングの第2の部分は、信頼性を上げるべく、データ用の送信電力より高い送信電力で送信されることができる。
【００８０】
図15は、データおよびシグナリングを受信するプロセス1500の設計を示す。プロセス1500は、ダウンリンク送信の場合はアクセス端末によって、またはアップリンク送信の場合はアクセスポイントによって実行されることができる。あるタイムスロットにおけるトーンの第1のセットについての受信シンボルは、例えば、受信サンプルに対してOFDM復調を行なうことによって得られることができる(ブロック1512)。トーンの第1のセットについての受信シンボルは、検出シグナリングを得るために処理されることができる(ブロック1514)。トーンの第1のセットは、受信機(例えばアクセス端末)の識別子に基づいて、トーンの複数のセットの中から決定されることができる。トーンの第1のセットも、受信機(例えばアクセス端末)の識別子、送信機(例えばアクセスポイントまたはセル)の識別子、タイムスロットインデックス等に基づいて、データ伝送のための割り当て可能な複数のトーンの中から決定されることができる。ブロック1514については、受信シンボルに基づいて、複数の符号語の各々についてメトリックが計算されることができる。いずれかの符号語が送られたかどうかは、各符号語について計算されたメトリックに基づいて決定されることができる。検出シグナリングは、送られたと決定された符号語に基づいて得られることができる。
【００８１】
データ伝送のためのタイムスロットにおけるトーンの第2のセットを処理すべきかどうかは、検出シグナリングに基づいて決定されることができる(ブロック1516)。検出信号は、どの符号語も送られたとは決定されない場合、その受信機に対していかなるデータ伝送も送られないことを示すことができる。検出シグナリングがデータ伝送が送られることを示す場合、トーンの第2のセットについての受信シンボルが送信データ復元のために処理されることができる。検出シグナリングからは、トーンの第2のセット、データ伝送用のデータレート、および/またはその他の情報が得られることができる。
【００８２】
本件技術における当業者は、情報および信号は、様々な異なる技術および技法のうちの任意のものを使用して表わされることができるということを理解するだろう。例えば、上記の説明の全体を通じて引用されているデータ、命令、コマンド、情報、信号、ビット、シンボルおよびチップは、電圧、電流、電磁波、磁気的場または粒子、光学的場または粒子、またはこれらのものの任意の組み合わせによって表わされることができる。
【００８３】
当業者であれば、本件明細書における開示に関連して説明された様々な例示的な論理ブロック、モジュール、回路、およびアルゴリズムのステップは、電子的ハードウェア、コンピュータソフトウェアまたは両者の組み合わせとして実装されることができることをさらに認識するだろう。ハードウェアとソフトウェアのこの相互置換可能性を明確に例示するために、様々な例示的なコンポーネント、ブロック、モジュール、回路およびステップは、それらの機能性の観点から上記において一般的に説明された。そのような機能性がハードウェアとして実装されるか、またはソフトウェアとして実装されるかは、システム全体に課される設計制約および特定のアプリケーションに依存する。当業者は、各特定のアプリケーションのための手段を変えることによって、上記説明された機能性を実装することができる。しかし、そのような実装の決定は、本件開示の範囲からの逸脱を起こすものとして解釈されてはならない。
【００８４】
本件明細書において開示された実施形態に関連して説明された様々な例示的な論理ブロック、モジュール、および回路は、本件明細書において説明された機能を実行するように設計された汎用目的プロセッサ、デジタル信号プロセッサ(DSP)、特定用途向けIC(ASIC)、フィールド・プログラマブル・ゲート・アレイ(FPGA)または他のプログラマブル論理デバイス、ディスクリート・ゲートまたはトランジスタ論理、ディスクリート・ハードウェア・コンポーネント、またはこれらのものの組合せを用いて実装または実行されてもよい。汎用目的プロセッサは、マイクロプロセッサであってもよいが、代替的に、該プロセッ
サは、任意の従来型のプロセッサ、コントローラ、マイクロコントローラまたは状態機械であってもよい。プロセッサはまた、計算装置の組合せ(例えばDSPとマイクロプロセッサの組合せ)、複数のマイクロプロセッサ、DSPコアと協働する1または複数のマイクロプロセッサ、または他の任意のそのような構成として実装されることができる。
【００８５】
本件明細書において開示された実施形態に関連して説明された方法またはアルゴリズムのステップは、ハードウェア、プロセッサによって実行されるソフトウェアモジュール、または両者の組合せにおいて直接具体化されることができる。ソフトウェアモジュールは、RAMメモリ、フラッシュメモリ、ROMメモリ、EPROMメモリ、EEPROMメモリ、レジスタ、ハードディスク、リムーバブルディスク、CD-ROMまたは当分野において公知の他の任意の形式の記憶媒体の中に存在することができる。ある例示的な記憶媒体は、プロセッサがその記憶媒体から情報の読み出しおよびその記憶媒体へ書き込みをすることができるようにプロセッサと結合される。代替的に、記憶媒体は、プロセッサと一体化されてもよい。プロセッサおよび記憶媒体は、１つのASICの中に存在してもよい。ASICは、ユーザ端末の中に存在してもよい。代替的に、プロセッサと記憶メディアは、ユーザ端末の中にディスクリート・コンポーネントとして存在してもよい。
【００８６】
開示された実施形態についての前記説明は、任意の当業者が本件開示を製造しまたは使用することができるように提供されている。これらの実施形態に対する様々な修正は、当業者にとって容易に明白なことであろうし、また本件明細書において定義された一般原則は、本件開示の要旨または範囲から逸脱することなく、他の実施形態に対して適用可能である。したがって、本件開示は、本件明細書において示された実施形態に限られることを意図するものではなく、本件明細書において開示された原理および新規な特徴と一致する最も広い範囲が与えられるべきである。
以下に本件出願当初の特許請求の範囲に記載された発明を付記する。
［１］データ伝送のためのシグナリングをあるタイムスロットにおけるトーンの第1のセットにマップすること、および前記データ伝送のためのデータを前記タイムスロットにおけるトーンの第2のセットにマップすること、を行う少なくとも1つのプロセッサ、および前記少なくとも１つのプロセッサに結合されたメモリを備える装置。
［２］前記少なくとも1つのプロセッサは、前記データ伝送のために複数のトーンを割り当て、および前記複数のトーンに基づいてトーンの前記第1および第2のセットを決定する、［１］の装置。
［３］前記少なくとも1つのプロセッサは、直交符号、双直交符号、ブロック符号、時間で変わるブロック符号、擬似乱数ブロック符号、および畳み込み符号のうちの少なくとも1つに基づいて前記シグナリングを符号化する、［１］の装置。
［４］前記少なくとも1つのプロセッサは、前記データ伝送が送られる宛先のアクセス端末のための擬似乱数（PN）シーケンスに基づいて決定される擬似乱数ブロック符号に基づいて前記シグナリングを符号化する、［１］の装置。
［５］前記少なくとも1つのプロセッサは、前記シグナリングを複数の部分に分割し、前記シグナリングの各部分をそれぞれの符号で符号化し、および前記シグナリングの複数の符号化された部分をトーンの前記第1のセットの上で送る、［１］の装置。
［６］前記少なくとも1つのプロセッサは、トーンの前記第1のセットに対してマップする前に、離散フーリエ変換（DFT)またはユニタリ変換で前記シグナリングを処理する、［１］の装置。
［７］前記少なくとも1つのプロセッサは、前記シグナリングの第1の部分に基づいてトーンの複数のセットの中からトーンの前記第1のセットを選択し、およびトーンの前記第1のセットの上で前記シグナリングの第2の部分を送る、［１］の装置。
［８］前記少なくとも1つのプロセッサは、前記データ伝送のためのチャネル条件に基づいて前記第1のセット中のトーンの数を選択する、［１］の装置。
［９］前記少なくとも1つのプロセッサは、前記データ伝送のためのチャネル条件に基づいて前記シグナリングのための送信電力を決定する、［１］の装置。
［１０］前記少なくとも1つのプロセッサは、複数のアンテナによる送信の前に、送信ステアリングベクトルまたは時空間ブロック符号を用いて前記シグナリングを処理する、［１］の装置。
［１１］前記データ伝送は、アクセス端末に対するものであって、および前記シグナリングは、前記アクセス端末の識別子、前記データ伝送のためのデータレートを示す情報、および前記データ伝送のための資源割り当てを示す情報のうちの少なくとも１つを備える、［１］の装置。
［１２］前記第1のセット中の前記トーンは、システムバンド幅にわたって分散させられている、［１］の装置。
［１３］前記第1のセット中の前記トーンは、前記タイムスロットの早い部分に置かれている、［１］の装置。
［１４］前記タイムスロットは、少なくとも1つのオーバーヘッドセグメントで時分割多重された少なくとも1つのトラヒックセグメントを備え、およびトーンの前記第1および第2のセットは、前記少なくとも1つのトラヒックセグメントの中に置かれている、［１］の装置。
［１５］データ伝送のためのシグナリングをあるタイムスロットにおけるトーンの第1のセットにマップすること、および前記データ伝送のためのデータを前記タイムスロットにおけるトーンの第2のセットにマップすること
を備える方法。
［１６］直交符号、双直交符号、ブロック符号、時間で変わるブロック符号、擬似乱数ブロック符号、畳み込み符号、離散フーリエ変換（DFT）、ユニタリ変換、送信ステアリングベクトル、および時空間ブロック符号のうちの少なくとも1つに基づいて前記シグナリングを処理することをさらに備える、［１５］の方法。
［１７］前記シグナリングをトーンの前記第1のセットに前記マップすることは、前記シグナリングの第１の部分に基づいてトーンの複数のセットの中からトーンの前記第1のセットを選択すること、およびトーンの前記第1のセットの上で前記シグナリングの第2の部分を送ることを備える、［１５］の方法。
［１８］データ伝送のためのシグナリングをあるタイムスロットにおけるトーンの第1のセットにマップするための手段、および前記データ伝送のためのデータを前記タイムスロットにおけるトーンの第2のセットにマップする手段を備える装置。
［１９］直交符号、双直交符号、ブロック符号、時間で変わるブロック符号、擬似乱数ブロック符号、畳み込み符号、離散フーリエ変換（DFT）、ユニタリ変換、送信ステアリングベクトル、および時空間ブロック符号のうちの少なくとも1つに基づいて前記シグナリングを処理するための手段をさらに備える、［１８］の装置。  
［２０］前記シグナリングをトーンの前記第1のセットにマップするための前記手段は、前記シグナリングの第１の部分に基づいてトーンの複数のセットの中からトーンの前記第1のセットを選択する手段、およびトーンの前記第1のセットの上で前記シグナリングの第2の部分を送るための手段を備える、［１８］の装置。
［２１］データ伝送のためのシグナリングをあるタイムスロットにおけるトーンの第1のセットにマップすることをコンピュータにさせるためのコード、および前記データ伝送のためのデータを前記タイムスロットにおけるトーンの第2のセットにマップすることを前記コンピュータにさせるためのコードを備えるコンピュータ可読媒体を備えるコンピュータプログラムプロダクト。
［２２］前記コンピュータ可読媒体は、直交符号、双直交符号、ブロック符号、時間で変わるブロック符号、擬似乱数ブロック符号、畳み込み符号、離散フーリエ変換（DFT）、ユニタリ変換、送信ステアリングベクトル、および時空間ブロック符号のうちの少なくとも1つに基づいて前記シグナリングを処理することを前記コンピュータにさせるためのコードをさらに備える、［２１］のコンピュータプログラムプロダクト。
［２３］前記コンピュータ可読媒体は、前記シグナリングの第１の部分に基づいてトーンの複数のセットの中からトーンの前記第1のセットを選択することを前記コンピュータにさせるためのコード、およびトーンの前記第1のセットの上で前記シグナリングの第2の部分を送ることを前記コンピュータにさせるためのコードをさらに備える、［２１］のコンピュータプログラムプロダクト。
［２４］シグナリングを第1の部分および第2の部分を備える複数の部分に分割すること、前記シグナリングの前記第1の部分に基づいて複数のトーンの中からトーンのセットを選択すること、およびトーンの前記選択されたセットの上で前記シグナリングの前記第2の部分を送ること、を行う少なくとも1つのプロセッサ、および前記少なくとも1つのプロセッサに結合されたメモリを備える装置。
［２５］前記シグナリングは、データ伝送のためのものであり、および前記複数のトーンは、前記データ伝送のために割り当てられたものである、［２４］の装置。
［２６］トーンの複数のセットは、前記複数のトーンに基づいて定義されるものであり、および前記少なくとも1つのプロセッサは、前記シグナリングの前記第1の部分に基づいてトーンの前記複数のセットの中からトーンの前記セットを選択する、［２４］の装置。
［２７］前記複数のセットの各々は、システムバンド幅にわたって、かつ所定のタイムインタバルにわたって分散されている複数のトーンを備える、［２６］の装置。
［２８］前記少なくとも1つのプロセッサは、前記シグナリングの前記第1の部分に基づいて、前記複数のトーンの中からトーンの前記セットを擬似乱数的に選択する、［２４］の装置。
［２９］前記シグナリングの前記第1の部分は、前記データ伝送が送られる宛先のアクセス端末の識別子を備える、［２８］の装置。
［３０］前記少なくとも1つのプロセッサは、前記データ伝送を送るセルの識別子、および前記データ伝送が送られるタイムスロットのインデックスのうちの少なくとも1つにさらに基づいて、トーンの前記セットを擬似乱数的に選択する、［２９］の装置。
［３１］前記少なくとも1つのプロセッサは、データ用の送信電力より高い送信電力で前記シグナリングの前記第2の部分を送る、［２４］の装置。
［３２］前記少なくとも１つのプロセッサは、直交符号、双直交符号、ブロック符号、時間で変わるブロック符号、擬似乱数ブロック符号、畳み込み符号、離散フーリエ変換、ユニタリ変換、送信ステアリングベクトル、および時空間ブロック符号のうちの少なくとも1つに基づいて、前記シグナリングの前記第2の部分を処理する、［２４］の装置。
［３３］シグナリングを第1の部分および第2の部分を備える複数の部分に分割すること、  前記シグナリングの前記第1の部分に基づいて、複数のトーンの中からトーンのセットを選択すること、およびトーンの前記選択されたセットの上で前記シグナリングの前記第2の部分を送ることを備える方法。
［３４］トーンの前記セットを前記選択することは、トーンの前記複数のセットの中からトーンの前記セットを選択すること、または前記シグナリングの前記第1の部分に基づいて前記複数のトーンの中からトーンの前記セットを擬似乱数的に選択する、［３３］の方法。
［３５］直交符号、双直交符号、ブロック符号、時間で変わるブロック符号、擬似乱数ブロック符号、畳み込み符号、離散フーリエ変換、ユニタリ変換、送信ステアリングベクトル、および時空間ブロック符号のうちの少なくとも1つに基づいて、前記シグナリングの前記第2の部分を処理することをさらに備える、［３３］の方法。
［３６］シグナリングを第1の部分および第2の部分を備える複数の部分に分割するための手段、前記シグナリングの前記第1の部分に基づいて、複数のトーンの中からトーンのセットを選択するための手段、およびトーンの前記選択されたセットの上で前記シグナリングの前記第2の部分を送るための手段を備える装置。
［３７］トーンの前記セットを前記選択する手段は、トーンの前記複数のセットの中からトーンの前記セットを選択する、または前記シグナリングの前記第1の部分に基づいて前記複数のトーンの中からトーンの前記セットを擬似乱数的に選択するための手段を備える、［３６］の方法。
［３８］直交符号、双直交符号、ブロック符号、時間で変わるブロック符号、擬似乱数ブロック符号、畳み込み符号、離散フーリエ変換、ユニタリ変換、送信ステアリングベクトル、および時空間ブロック符号のうちの少なくとも1つに基づいて、前記シグナリングの前記第2の部分を処理するための手段をさらに備える、［３６］の装置。
［３９］あるタイムスロットにおけるトーンの第1のセットについての受信シンボルを得ること、検出シグナリングを得るためにトーンの前記第1のセットについての前記受信シンボルを処理すること、および前記検出シグナリングに基づいて、データ伝送のための前記タイムスロットにおけるトーンの第2のセットを処理するべきかどうかを決定すること、を行う少なくとも１つのプロセッサ、および前記少なくとも１つのプロセッサに結合されたメモリを備える装置。
［４０］前記少なくとも１つのプロセッサは、アクセス端末の識別子に基づいて、トーンの複数のセットの中からトーンの前記第1のセットを決定する、［３９］の装置。
［４１］前記少なくとも１つのプロセッサは、アクセス端末の識別子に基づいて、前記データ伝送のための割り当て可能な複数のトーンの中からトーンの前記第1のセットを決定する、［３９］の装置。
［４２］前記少なくとも１つのプロセッサは、前記受信シンボルに基づいて複数の符号語の各々についてメトリックを計算するステップ、各符号語について計算された前記メトリックに基づいて、前記複数の符号語のうちのいずれか１つが送られたかどうかを決定するステップ、および送られたと決定された符号語に基づいて前記検出シグナリングを得るステップであって、前記検出シグナリングは、もし前記複数の符号語のうちのいずれも送られたとは決定されなかったら、いかなるデータ伝送も送られないことを示す、ステップを実行する、［３９］の装置。
［４３］前記少なくとも1つのプロセッサは、前記検出シグナリングに基づいて、前記データ伝送が送られるかどうかを決定し、およびもし前記データ伝送が送られたと決定されたら、トーンの前記第2のセットについての受信シンボルを処理する、［３９］の装置。
［４４］もし前記データ伝送が送られたと決定されたら、前記少なくとも1つのプロセッサは、前記検出シグナリングに基づいてトーンの前記第2のセットを決定する、［４３］の装置。
［４５］もし前記データ伝送が送られたと決定されたら、前記少なくとも1つのプロセッサは、前記検出シグナリングに基づいて前記データ伝送のためのデータレートを決定し、および前記決定されたデータレートに基づいてトーンの前記第2のセットについての前記受信シンボルを処理する、［４３］の装置。
［４６］あるタイムスロットにおけるトーンの第1のセットについての受信シンボルを得ること、検出シグナリングを得るためにトーンの前記第1のセットについての前記受信シンボルを処理すること、および前記検出シグナリングに基づいて、データ伝送のための前記タイムスロットにおけるトーンの第2のセットを処理するべきかどうかを決定すること  を備える方法。
［４７］トーンの複数のセットの中から、またはアクセス端末の識別子に基づいて前記データ伝送のための割り当て可能な複数のトーンの中から、トーンの前記第1のセットを決定することをさらに備える、［４６］の方法。
［４８］前記検出シグナリングを得るために、トーンの第1のセットについての前記受信シンボルを前記処理することは、前記受信シンボルに基づいて複数の符号語の各々についてメトリックを計算するステップ、各々の符号語について計算された前記メトリックに基づいて、前記複数の符号語のうちのいずれか１つが送られたかどうかを決定するステップ、および送られたと決定された符号語に基づいて前記検出シグナリングを得るステップであって、前記検出シグナリングは、もし前記複数の符号語のうちのいずれも送られたとは決定されなかったら、いかなるデータ伝送も送られないことを示す、ステップを備える、［４６］の方法。
［４９］前記データ伝送が送られたと決定されたら、前記検出シグナリングに基づいて、前記データ伝送のためのデータレートを決定すること、および前記決定されたデータレートに基づいてトーンの前記第2のセットについての前記受信シンボルを処理することをさらに備える、［４６］の方法。
［５０］あるタイムスロットにおけるトーンの第1のセットについての受信シンボルを得るための手段、検出シグナリングを得るためにトーンの前記第1のセットについての前記受信シンボルを処理するための手段、および前記検出シグナリングに基づいて、データ伝送のための前記タイムスロットにおけるトーンの第2のセットを処理するべきかどうかを決定するための手段を備える装置。
［５１］アクセス端末の識別子に基づいて、トーンの複数のセットの中から、または前記データ伝送のための割り当て可能な複数のトーンの中から、トーンの第1のセットを決定するための手段をさらに備える、［５０］の装置。
［５２］前記検出シグナリングを得るために、トーンの第1のセットについての前記受信シンボルを処理するための前記手段は、前記受信シンボルに基づいて複数の符号語の各々についてのメトリックを計算するための手段、各符号語について計算された前記メトリックに基づいて、前記複数の符号語のうちのいずれか１つが送られたどうかを決定するための手段、および送られたと決定された符号語に基づいて前記検出シグナリングを得るための手段であって、前記検出シグナリングは、もし前記複数の符号語のうちのいずれも送られたとは決定されなかったら、いかなるデータ伝送も送られないことを示す、手段を備える、［５０］の装置。
［５３］もし前記データ伝送が送られたと決定されたら、前記シグナリングに基づいて前記データ伝送のためのデータレートを決定するための手段、および前記決定されたデータレートに基づいてトーンの前記第2のセットについての前記受信シンボルを処理する手段をさらに備えることを特徴とする［５０］の装置。
【図１】
0005710523.tif 000007
【図２】
0005710523.tif 000008
【図３】
0005710523.tif 000009
【図４Ａ】
0005710523.tif 000010
【図４Ｂ】
0005710523.tif 000011
【図４Ｃ】
0005710523.tif 000012
【図４Ｄ】
0005710523.tif 000013
【図５】
0005710523.tif 000014
【図６】
0005710523.tif 000015
【図７】
0005710523.tif 000016
【図８】
0005710523.tif 000017
【図９】
0005710523.tif 000018
【図１０】
0005710523.tif 000019
【図１１】
0005710523.tif 000020
【図１２】
0005710523.tif 000021
【図１３】
0005710523.tif 000022
【図１４】
0005710523.tif 000023
【図１５】
0005710523.tif 000024